(57)【要約】【課題】  従来、ゴミ箱本体の内部にポリ袋を挿入固定して使用していたが、ゴミ箱の大きさに合わせたポリ袋を使用する必要があり、スーパー等で配布されるポリ袋の有効利用方法が望まれていた。【解決手段】  手で押圧力を加えると円筒状に折り曲げ可能であり、前記押圧力を取り除くと元の形状に復帰する復元力を有する四辺形状の薄板で形成された袋体保形器具を提供する。これにより、簡単且つ即時にポリ袋を全開してゴミ箱を形成することができる。【選択図】          図４
0003122927.tif 000002
【実用新案登録請求の範囲】
【請求項１】
手で押圧力を加えると円筒状に折り曲げ可能であり、前記押圧力を取り除くと元の形状に復帰する復元力を有する四辺形状の薄板で形成されていることを特徴とする袋体保形器具。
【請求項２】
前記薄板は、中心部を基点として短辺方向及び長辺方向にＬ字型スリットが設けられた２枚の薄板が、Ｌ型スリットが中心部から点対象となるように重畳され、前記中心部には薄板を短辺方向及び長辺方向に展開自在に連結する連結具が設けられていることを特徴とする請求項１記載の袋体保形器具。
【請求項３】
前記薄板は、２枚の薄板が重畳されており、該重畳された２枚の薄板の短辺縁近傍又は長辺縁近傍には、前記薄板を展開自在に連結する連結具が設けられていることを特徴とする請求項１記載の袋体保形器具。
【請求項４】
前記薄板は、少なくとも１辺に他の薄板を係止する係止片が設けられていることを特徴とする請求項１記載の袋体保形器具。
【請求項５】
前記薄板は、長辺方向と平行にスリットが設けられていると共に、前記スリットが設けられた側とは反対側の短辺縁近傍に連結具が設けられていることを特徴とする請求項１記載の袋体保形器具。
【考案の詳細な説明】
【技術分野】
【０００１】
本考案は、スーパーマーケットや商店などで買物をしたとき、商品を入れてくれるポリ袋等を利用した袋体保形器具に関するものである。
【背景技術】
【０００２】
スーパーマーケットや商店などで買物をしたとき、商品を入れてくれる様々な大きさのポリ袋は、家庭や事務所内に多量に溜まり、各家庭や事務所等ではポリ袋をなんらかの形で再利用することが考えられている。この中でも特に多いのはゴミ袋として再利用することである。家庭や事務所では一般にゴミ箱を設置してゴミを入れており、既存のゴミ箱の内部に前記ポリ袋を広げて入れておき、この中へゴミを放り込み、ゴミを捨てるときにはポリ袋を引き出して廃棄することが一般に行われている。
【０００３】
ポリ袋をゴミ箱に利用したものとしては、ゴミ箱のポリ袋の装着、脱着を容易にしてゴミ箱よりゴミの取り出し作業とゴミ箱の持ち運びを楽にするポリ袋簡単装脱着ゴミ箱を提供するものとして、ゴミ箱上段部分にゴミ箱同壁に沿って、ある程度の間隔を保ちながら複数個の開口取手を設け、取手開口部より下方向にポリ袋の生地が挟まる隙間の溝を設けたポリ袋簡単装脱着ゴミ箱が開示されている（例えば、特許文献１参照。）。
【０００４】
また、ゴミ箱本体の相対向する側壁に、上下に配列された複数個の係止開口部を設け、この係止開口部の上部は、手さげ袋の取手部を係止できる取手係止部を有しており、ポリ袋をゴミ箱本体の内部に広げて入れ、取手部を含む袋上部をゴミ箱の外側へ引き出し、下に折り曲げてかぶせ、袋取手部を係止開口部の取手係止部に掛けるゴミ箱が開示されている（例えば、特許文献２参照。）。
【特許文献１】特開２００２−３５６２０３号公報
【特許文献２】実開平１０−３８００７号公報
【考案の開示】
【考案が解決しようとする課題】
【０００５】
しかしながら、特許文献１に示すポリ袋簡単装脱着ゴミ箱は、ゴミ箱上段部分にゴミ箱同壁に沿って、ある程度の間隔を保ちながら複数個の開口取手を設け、取手開口部より下方向にポリ袋の生地が挟まる隙間の溝を設けたものである。この構造では、ゴミ箱の内径に対してポリ袋の外径が小さすぎると、ゴミ箱の内径とポリ袋の外径との間に隙間が生じるので、該隙間にゴミが入り込んでいた。また、ゴミ箱の内径に対してポリ袋の外径が多きすぎると、ゴミ箱の内径にポリ袋の外径がフィットしないため、ポリ袋をゴミ箱内部に旨く入れられないだけでなく、ポリ袋がゴミ箱内部で重なり合ってゴミをゴミ箱内に充分入れることができなかった。従って、ゴミ箱の寸法に合ったポリ袋をその都度選ばなければならないという煩わしさがあった。
【０００６】
また、特許文献２に示すゴミ箱も、ゴミ箱本体の相対向する側壁に、上下に配列された複数個の係止開口部を設け、この係止開口部に手さげ袋の取手部を係止するものであるから、前記ポリ袋簡単装脱着ゴミ箱と同様に、ゴミ箱の寸法に合ったポリ袋をその都度選ばなければならないという煩わしさがあった。
【課題を解決するための手段】
【０００７】
本考案は、上記課題を解決するためになされたものであり、ゴミ箱にポリ袋を装着するという発想を転換し、様々な大きさのポリ袋等のサイズに対応して簡単に全開することができる袋体保形器具を提供することを目的とする。
【０００８】
上記課題を解決するために、本考案の請求項１では、手で押圧力を加えると円筒状に折り曲げ可能であり、前記押圧力を取り除くと元の形状に復帰する復元力を有する四辺形状の薄板で形成された袋体保形器具としている。これにより、手で円筒状に折り曲げた四辺形の薄板をポリ袋の内部に挿入して手を離すと、前記薄板の復元力により、瞬間的にポリ袋を全開してゴミ箱を形成することができる。
【０００９】
本考案の請求項２では、中心部を基点として短辺方向及び長辺方向にＬ字型スリットが設けられた２枚の薄板が、Ｌ型スリットが中心部から点対象となるように重畳され、前記中心部には薄板を短辺方向及び長辺方向に展開自在に連結する連結具が設けられている袋体保形器具としている。これにより、前記薄板を短辺方向に引き伸ばせると、重畳状態における直径に対して大径に拡径することができ、前記薄板を長辺方向に引き伸ばせると、重畳状態における高さに対してより高くまで伸張することができる。
【００１０】
本考案の請求項３では、前記薄板は、２枚の薄板が重畳されており、該重畳された２枚の薄板の短辺縁近傍又は長辺縁近傍には、前記薄板を展開自在に連結する連結具が設けられている袋体保形器具としている。これにより、短辺縁近傍に連結具が設けられた前記薄板の連結具を中心として展開すると、折畳み状態における直径に対して大径に拡径することができ、長辺縁近傍に連結具が設けられた前記薄板の連結具を中心として展開すると、重畳状態における高さに対してより高くまで伸張することができる。
【００１１】
本考案の請求項４では、前記薄板は、少なくとも１辺に他の薄板を係止する係止片が設けられている袋体保形器具としている。これにより、前記薄板の短辺方向に係止片を用いて他の薄板を連結すると、直径を拡大することができ、前記薄板の長辺方向に係止片を用いて他の薄板を連結すると、高さを伸張することができる。
【００１２】
本考案の請求項５では、前記薄板は、長辺方向と平行にスリットが設けられていると共に、前記スリットが設けられた側とは反対側の短辺縁近傍に連結具が設けられている袋体保形器具としている。これにより、スリットに連結具を係止しておくと円筒形状を保形しておくことができる。
【考案の効果】
【００１３】
本考案の請求項１は、手で押圧力を加えると円筒状に折り曲げ可能であり、前記押圧力を取り除くと元の形状に復帰する復元力を有する四辺形状の薄板で形成された袋体保形器具である。これをポリ袋の内部に挿入して手を離すと、前記薄板の復元力により、瞬間的にポリ袋の内径が全開されてゴミ箱が形成される。袋体保形器具は、ポリ袋の大きさ（内径）が最大になるよう復元力が働くので、ゴミ箱に合わせてポリ袋を選択するという煩わしさが無くなると共に、ポリ袋のサイズに合った円筒形が形成されるので美観的に優れている。また、前記袋体保形器具は、通常はシート状であり、使用する際に簡単に組み立てることができので、家庭だけでなく外出時に携帯して自動車や電車などの車内で利用することもできる。更に、袋体保形器具の表面に広告デザインを付して宣伝用の販促物として利用することもできる。
【００１４】
本考案の請求項２及び３は、前記薄板を短辺方向又は長辺方向に展開することができるので、袋体保形器具が利用できるポリ袋のサイズがより広範囲となり、利便性が一段と向上する。また、本考案の請求項４は、前記薄板の短辺方向又は長辺方向に他の薄板を連結する係止片が設けられているので、前記同様に、利用できるポリ袋のサイズがより広範囲となり利便性が向上する。また、本考案の請求項５では、前記薄板は、長辺方向と平行にスリットが設けられていると共に、前記スリットが設けられた側とは反対側の短辺縁近傍に連結具が設けられているので、スリットに連結具を係止しておくと、袋体保形器具をポリ袋から取出すときに、円筒形状が保形されているので、前記薄板の復元力による跳ね返りで手等を打つことを防止することができる。
【考案を実施するための最良の形態】
【００１５】
以下、本考案の実施形態について図面に基づいて詳細に説明するが、本考案はこれに限定されるものではなく、要旨を逸脱しない範囲において適宜変更できるものである。また、明細書及び図面の符号については、同一部材は同一符号で表示している。なお、図２〜図４は、理解を容易にするためにポリ袋及び袋体保形器具の厚さを実際よりも厚く強調表示している。
【００１６】
図１は本考案の第一実施形態を示す平面図である。図１において、袋体保形器具１は手で押圧力を加えると円筒状に折り曲げ可能であり、前記押圧力を取り除くと元の形状に復帰する復元力を有する四辺形状の薄板で形成されている。具体的には、金属板、非鉄金属板、プラスチック板、各種複合材料等を用いることができるが、好ましくはプラスチック板であり、より好ましくは焼却可能なプラスチック板である。図２は、ポリ袋２０の開口部２１に本考案の袋体保形器具１を挿入した状態を示す平面模試図である。図２において、ポリ袋２０の開口部２１を広げた状態で、手でポリ袋２０の内径より小さい円筒状１０に折り曲げた袋体保形器具１を、前記ポリ袋２０の内部に挿入している。図３は、2352-0386-4453１が展開してゴミ箱３０が形成された状態を示す平面模試図である。図３において、ポリ袋２０の内部で袋体保形器具１を保持している手を離すと、袋体保形器具１は復元力により元の形状に復帰しようとして展開し、ポリ袋２０の内径を最大限まで拡張した状態で停止する。この状態でゴミ箱３０として使用してもよいし、他の使用方法として、図４に示す斜視図のように、ポリ袋２０の開口部２１を袋体保形器具１の円筒内部に折込み、次に、ポリ袋の開口部２１側が下部になるように反転させ、ポリ袋２０の有底部２２を前記袋体保形器具１の円筒内部の底部まで押し込むことによりゴミ箱を形成することができる。ゴミを廃棄するときは、ゴミが入ったポリ袋２０のみを廃棄すれば、前記袋体保形器具１は繰返し使用することができる。なお、焼却可能なプラスチックで形成されている袋体保形器具１を使用すれば、ゴミが入ったポリ袋２０と一緒に廃棄することもできる。
【００１７】
図５は本考案の第二実施形態を示したもので、（ａ）は上部板の平面図、（ｂ）は下部板の平面図、（ｃ）は組立状態を示す平面図、（ｄ）は短辺側に伸張した状態を示した平面図、（ｅ）は長辺側に伸張した状態を示した平面図である。図５において、袋体保形器具は、上部板２、下部板３及び連結具４より構成されている。図５（ａ）に示すように上部板２は、四辺形状の薄板で形成されており、中心部６を基点として短辺方向１１及び長辺方向１２にＬ字型スリット５が設けられている。図５（ｂ）に示すように下部板３は四辺形状の薄板で形成されており、中心部６を基点として、前記上部板２とはＬ型スリット５が中心部６で点対象となるように形成されている。図５（ｃ）に示すように前記上部板２及び下部板３は上部板２を上側にして重畳され、中心部６には上部板２及び下部板３を短辺方向１１又は長辺方向１２に展開自在に連結する連結具４が設けられている。連結具４は、上部板２及び下部板３と同一材質であることが望ましいが、鉄製又は非鉄金属製であってもよい。前記連結具４は締付力を調整できるものであり、例えばビスとナットで締結されている。従って、上部板２及び下部板３を重畳して固定するか、上部板２及び下部板３をスライドして伸張させることが可能である。これにより、前記上部板２及び下部板３を短辺方向１１に伸張すると、重畳状態における直径に対して大径に拡径することができ、前記上部板２及び下部板３を長辺方向１２に伸張すると、重畳状態における高さに対してより高い高さに伸張することができる。
【００１８】
図６は本考案の第三実施形態を示したもので、（ａ）は短辺縁近傍に連結具を設けた平面図、（ｂ）は展開した状態を示した平面図である。袋体保形器具は、上部板、下部板及び連結具より構成されている。図６（ａ）に示すように上部板２ａは、四辺形状の薄板で形成されており、短辺縁近傍１１に貫通孔７が設けられている。また、下部板３ａは四辺形状の薄板で形成されており、短辺縁近傍１３に貫通孔７が設けられている。前記貫通孔７が重なるように前記上部板２ａ及び下部板３ａを重畳して、貫通孔７に連結具４が設けられている。連結具４は、上部板２ａ及び下部板３ａと同一材質であることが望ましいが、鉄製又は非鉄金属製であってもよい。また、前記連結具４は前記上部板２ａ及び下部板３ａが展開可能な強度で連結しているが、締付力を調整できるようにしてもよく、例えばビスとナットで締結してもよい。これにより、上部板２ａ及び下部板３ａを重畳して固定するか、上部板２ａ及び下部板３ａを展開して伸張させることが可能である。これにより、前記上部板２ａ及び下部板３ａを短辺方向１１に展開すれば、重畳状態における直径に対して大径に拡径することができる。図６（ｃ）は長辺縁近傍１４に連結具４を設けた平面図、（ｄ）は展開した状態を示した平面図である。長辺縁近傍１４に連結具４を設けたこと以外は前記と同様である。この構成によれば、上部板２ｂ及び下部板３ｂを重畳して固定するか、上部板２ｂ及び下部板３ｂを展開して伸張させることが可能である。これにより、前記上部板２ｂ及び下部板３ｂを長辺方向１２に展開すれば、重畳状態における高さに対してより高い高さにまで伸張することができる。
【００１９】
図７は本考案の第四実施形態を示したもので、（ａ）は長辺縁近傍に係止片を設けたもの、（ｂ）は短辺縁近傍に係止片を設けたもの、（ｃ）は長辺縁近傍及び短辺縁近傍に係止片を設けたもの、（ｄ）は、係止片の側面拡大図である。
袋体保形器具１ａは手で押圧力を加えると円筒状に折り曲げ可能であり、前記押圧力を取り除くと元の形状に復帰する復元力を有する四辺形状の薄板で形成されている。前記薄板の任意面の長辺縁近傍１４には、複数個の係止片８が設けられている。この係止片８は、図７（ｄ）に示したように、長辺縁側を開口した略Ｕ字型に形成されており、該Ｕ字型部に他の薄板の長辺縁を挿入することにより他の薄板を連結することができる。また、図７（ｂ）は短辺縁近傍１３に前記と同様のＵ字型の係止片８を設けたものであり、該係止片８に他の薄板の短辺縁を挿入することにより他の薄板を連結することができる。更に、図７（ｃ）は薄板の長辺縁近傍１４及び短辺縁近傍１３に係止片８を設けたものであり、長辺縁の係止片８に他の薄板を連結すると共に、短辺縁の係止片８に他の薄板を連結することができる。なお、係止片を短辺縁及び長辺縁の長さにして取付してもよい。
【００２０】
図８は本考案の第五実施形態を示した平面図である。袋体保形器具１ｂは手で押圧力を加えると円筒状に折り曲げ可能であり、前記押圧力を取り除くと元の形状に復帰する復元力を有する四辺形状の薄板で形成されている。前記薄板の長辺方向と平行に、長辺方向の長さの略半分の長さのスリット５ａが形成されており、該スリット５ａが設けられた側とは反対側の短辺縁近傍に連結具４が設けられている。これを使用する場合は、スリット５ａに連結具４を係止して円筒形状に保形した後、手等でポリ袋に入る程度の直径に縮径した状態で挿入して手を離すと、前記薄板はポリ袋の内部で復元力により拡径してゴミ箱が形成される。ゴミが溜まったポリ袋を取出すときは、ポリ袋を袋体保形器具１ｂから剥ぎ取るようにして取り外すが、このとき、袋体保形器具１ｂは円筒状に保形されているので、復元力により跳ね返ることがない。
【００２１】
なお、図示していないが、本考案の他の実施形態として、（ａ）長辺縁と平行に折り曲げ線を設けたもの、（ｂ）短辺縁と平行に折り曲げ線を設けたもの、（ｃ）長辺縁及び短辺縁と平行に折り曲げ線を設けたもの、がある。これによれば、使用しないときや外出時には折畳んで携帯し、使用時に展開して使用することができるので便利である。
【産業上の利用可能性】
【００２２】
本考案は、スーパーマーケットや商店などで買物をしたとき、商品を入れてくれるポリ袋等を利用した袋体保形器具であり、ポリ袋を簡単にゴミ箱として利用する方法を説明した。しかし、本考案はこれに限定されるものではなく、例えば、家庭ごみ処理用として一般的に使用されている４５Ｌ又は７０Ｌ入りのポリ袋等に適用すれば、前記ポリ袋は、開口部を円形状に開口した状態で自立するので、庭、道路、公園、広場等のゴミ処理に使用すると便利である。また、家庭内では、布製の巾着、小袋などの内部に入れると、開口部が円形に開口保持されるので、室内装飾を兼ねた小物入れとすることができる。
【図面の簡単な説明】
【００２３】
【図１】本考案の第一実施形態を示した平面図である。
【図２】本考案の第一実施形態の袋体保形器具をポリ袋に挿入した状態を示した説明図である。
【図３】本考案の第一実施形態の袋体保形器具を用いてポリ袋をゴミ箱に形成した状態を示した説明図である。
【図４】本考案の第一実施形態のポリ袋を利用したゴミ箱の側面断面図である。
【図５】本考案の第二実施形態を示したもので、（ａ）は上部板の平面図、（ｂ）は下部板の平面図、（ｃ）は組立状態を示す平面図、（ｄ）は短辺側に伸張した状態を示した平面図、（ｅ）は長辺側に伸張した状態を示した平面図である。
【図６】本考案の第三実施形態を示したもので、（ａ）は短辺縁近傍に連結具を設けた平面図、（ｂ）は（ａ）を展開した状態を示す図、（ｃ）は長辺縁金部に連結具を設けた平面図、（ｄ）は（ｃ）を展開した状態を示す図である。
【図７】本考案の第四実施形態を示したもので、（ａ）は長辺縁に係止片を設けた平面図、（ｂ）は短辺縁に係止片を設けた平面図、（ｃ）は長辺縁及び短辺縁に係止片を設けた平面図、（ｄ）係止片の拡側面図である。
【図８】本考案の第五実施形態を示した平面図である。
【符号の説明】
【００２４】
１，１ａ、１ｂ  袋体保形器具
２，２ａ，２ｂ  上部板
３，３ａ，３ｂ  下部板
４，４ａ  連結具
５  Ｌ型スリット
５ａ  スリット
６  中心部
７  貫通孔
８  係止片
１０  円筒状
１１  短辺方向
１２  長辺方向
１３  短辺縁近傍
１４  長辺縁近傍
２０  ポリ袋
２１  開口部
２２  有底部
３０  ゴミ箱
【図１】
0003122927.tif 000003
【図２】
0003122927.tif 000004
【図３】
0003122927.tif 000005
【図４】
0003122927.tif 000006
【図５】
0003122927.tif 000007
【図６】
0003122927.tif 000008
【図７】
0003122927.tif 000009
【図８】
0003122927.tif 000010
【手続補正書】
【提出日】平成18年4月18日(2006.4.18)
【手続補正１】
【補正対象書類名】明細書
【補正対象項目名】００１６
【補正方法】変更
【補正の内容】
【００１６】
図１は本考案の第一実施形態を示す平面図である。図１において、袋体保形器具１は手で押圧力を加えると円筒状に折り曲げ可能であり、前記押圧力を取り除くと元の形状に復帰する復元力を有する四辺形状の薄板で形成されている。具体的には、金属板、非鉄金属板、紙、ダンボール、プラスチック板、各種複合材料等を用いることができるが、好ましくはプラスチック板であり、より好ましくは焼却可能なプラスチック板である。図２は、ポリ袋２０の開口部２１に本考案の袋体保形器具１を挿入した状態を示す平面模試図である。図２において、ポリ袋２０の開口部２１を広げた状態で、手でポリ袋２０の内径より小さい円筒状１０に折り曲げた袋体保形器具１を、前記ポリ袋２０の内部に挿入している。図３は、2352-0386-4453１が展開してゴミ箱３０が形成された状態を示す平面模試図である。図３において、ポリ袋２０の内部で袋体保形器具１を保持している手を離すと、袋体保形器具１は復元力により元の形状に復帰しようとして展開し、ポリ袋２０の内径を最大限まで拡張した状態で停止する。この状態でゴミ箱３０として使用してもよいし、他の使用方法として、図４に示す斜視図のように、ポリ袋２０の開口部２１を袋体保形器具１の円筒内部に折込み、次に、ポリ袋の開口部２１側が下部になるように反転させ、ポリ袋２０の有底部２２を前記袋体保形器具１の円筒内部の底部まで押し込むことによりゴミ箱を形成することができる。ゴミを廃棄するときは、ゴミが入ったポリ袋２０のみを廃棄すれば、前記袋体保形器具１は繰返し使用することができる。なお、焼却可能なプラスチックで形成されている袋体保形器具１を使用すれば、ゴミが入ったポリ袋２０と一緒に廃棄することもできる。